(57)【要約】【課題】オーディオデータを記録した記録媒体を再生する場合に、オーディオデータの切り替え時に、出力される音声にフェードインをかけることができるようにする。【解決手段】少なくとも２つのオーディオデータを再生する場合に、記録されたオーディオデータを読み出し、その読み出し処理により読み出されたオーディオデータを再生し、再生されたオーディオデータを出力する出力する。そして、この出力されるオーディオデータの音量を調節する音量調節処理と、出力処理により出力されるオーディオデータを切り替える切り替え処理と、出力されるオーディオデータが前記切り替え処理により第１のオーディオデータから第２のオーディオデータへ切り替えられるとき、当該第２のオーディオデータの出力に関して音量調節処理でフェードインを開始させる制御処理とを行う。【選択図】図３
2008171553.tif 000002
【特許請求の範囲】
【請求項１】
少なくとも２つのオーディオデータを再生する再生装置において、
記録手段に記録されたオーディオデータを読み出す読み出し手段と、
前記読み出し手段により読み出されたオーディオデータを再生する再生手段と、
前記再生手段により再生されたオーディオデータを出力する出力手段と、
前記出力手段により出力されるオーディオデータの音量を調節する音量調節手段と、
前記出力手段により出力されるオーディオデータを切り替える切り替え手段と、
出力されるオーディオデータが前記切り替え手段により第１のオーディオデータから第２のオーディオデータへ切り替えられるとき、当該第２のオーディオデータの出力に関して前記音量調節手段にフェードインを開始させる制御手段とを有する
ことを特徴とする再生装置。
【請求項２】
オーディオデータは、当該オーディオデータの付加情報と共に前記記録手段に記録され、
出力されるオーディオデータが前記第２のオーディオデータへ切り替えられるとき、前記制御手段は、前記第２のオーディオデータの付加情報の読み出しが終了した後に前記音量調節手段にフェードインを開始させる
ことを特徴とする請求項１記載の再生装置。
【請求項３】
少なくとも２つのオーディオデータを再生する再生方法において、
記録されたオーディオデータを読み出す読み出し処理と、
前記読み出し処理により読み出されたオーディオデータを再生する再生処理と、
前記再生処理により再生されたオーディオデータを出力する出力処理と、
前記出力処理により出力されるオーディオデータの音量を調節する音量調節処理と、
前記出力処理により出力されるオーディオデータを切り替える切り替え処理と、
出力されるオーディオデータが前記切り替え処理により第１のオーディオデータから第２のオーディオデータへ切り替えられるとき、当該第２のオーディオデータの出力に関して前記音量調節処理でフェードインを開始させる制御処理とを有する
ことを特徴とする再生方法。
【発明の詳細な説明】
【技術分野】
【０００１】
本発明は、例えばＣＤ（コンパクトディスク）やＭＤ（ミニディスク）を再生する光ディスク装置のように、オーディオデータ及び付加情報を記録した記録媒体を再生する再生装置及び再生方法に関し、特に、電源のオン時や他のソースからオーディオディスクへの切り替え時にも、出力される音声にフェードインをかけることができるようにしたものに関する。
【背景技術】
【０００２】
周知のように、ＣＤやＭＤには、楽曲のオーディオデータの他に、楽曲の開始・終了アドレスやタイトル名等の付加情報（ＣＤではサブコード、再生専用のＭＤではＴＯＣ（Table of Contents ）、記録用のＭＤではＴＯＣ及びＵＴＯＣ（User Table of Contents））が記録される（特許文献１）。
【０００３】
そして、これらのオーディオディスクを再生する光ディスク装置（ＣＤシステムやＭＤシステム）では、最初にディスクからこの付加情報を全て読み取り、この付加情報に基づいて楽曲の開始アドレスへのシーク動作やタイトル名のパネル表示等を行う。
【０００４】
従来、こうした光ディスク装置では、オーディオディスクの再生が開始されると、オーディオデータの読み取り中だけでなく、この付加情報の読み取り中にも、ユーザーが音量調整（ボリュームコントロール）用の操作スイッチを操作することにより、出力する音声の音量を調整することが可能になっていた。
【０００５】
【特許文献１】特開平９−１５３２５６号公報（段落０００３）
【発明の開示】
【発明が解決しようとする課題】
【０００６】
ところで、光ディスク装置では、一般に、ボリュームコントローラが電子ボリューム化している。即ち、音量調整用の操作スイッチがエンコーダ（例えばダイヤル式の操作スイッチの場合にはその回転方向及び回転量を検出するロータリーエンコーダ）に内蔵されると共に、読み取ったオーディオデータに係数を乗算することによりそのレベル（音量）をディジタル処理またはアナログ処理により調整する回路（レベル調整回路）が設けられており、マイクロコンピュータが、このエンコーダによる操作量の検出出力に応じてこのレベル調整回路を制御する（レベル調整回路でオーディオデータに乗算される係数を変化させる）ことにより、出力される音声の音量を調整するようになっている。
【０００７】
また、光ディスク装置には、フェードイン機能やフェードアウト機能を有するものが存在している。そして、ボリュームコントローラが電子ボリューム化した光ディスク装置では、一般に、マイクロコンピュータが、前述のレベル調整回路の係数をゼロから漸増させることにより、出力される音声にフェードインがかけられ、他方この係数をゼロに向けて漸減させることにより、出力される音声にフェードアウトがかけられる。
【０００８】
ところで、フェードイン機能を有する従来の光ディスク装置では、電源のオン時にフェードインをかけようとした場合、付加情報の読み取り中にフェードインの期間の全部（または大部分）が過ぎてしまうことにより、付加情報の読み取りが終了してオーディオデータの読み取りが開始されたときには、フェードインを全くかけていない（またはほとんどかけていない）のと同じ状態で音声が出力されてしまうことがあった。
【０００９】
あるいは、光ディスク装置と他のソース（音源）（例えばラジオ受信機やテープレコーダ）を一体化した従来のオーディオシステムにおいて、ソースの切り替え時や電源のオン時にフェードインをかけるようにした場合、ラジオまたはテープへの切り替え時やソースをラジオまたはテープとした状態での電源オン時には即座に音声が出力されるのでフェードインがかかるが、オーディオディスクへの切り替え時やソースをオーディオディスクとした状態での電源オン時には、やはり、付加情報の読み取り中にフェードインの期間の全部（または大部分）が過ぎてしまうことにより、フェードインを全くかけていない（またはほとんどかけていない）のと同じ状態で音声が出力されてしまうことがあった。
【００１０】
従って、本発明の目的は、オーディオディスクを再生する光ディスク装置のように、オーディオデータを記録した記録媒体を再生する再生装置において、他のソースからオーディオディスクへの切り替え時などにも、出力される音声にフェードインをかけることができるようにしたものを提供しようとするものである。
【課題を解決するための手段】
【００１１】
本発明は、少なくとも２つのオーディオデータを再生する再生装置において、
記録手段に記録されたオーディオデータを読み出す読み出し手段と、
前記読み出し手段により読み出されたオーディオデータを再生する再生手段と、
前記再生手段により再生されたオーディオデータを出力する出力手段と、
前記出力手段により出力されるオーディオデータの音量を調節する音量調節手段と、
前記出力手段により出力されるオーディオデータを切り替える切り替え手段と、
出力されるオーディオデータが前記切り替え手段により第１のオーディオデータから第２のオーディオデータへ切り替えられるとき、当該第２のオーディオデータの出力に関して前記音量調節手段にフェードインを開始させる制御手段とを有するものである。
【００１２】
また本発明は、オーディオデータは、当該オーディオデータの付加情報と共に前記記録手段に記録され、
出力されるオーディオデータが前記第２のオーディオデータへ切り替えられるとき、前記制御手段は、前記第２のオーディオデータの付加情報の読み出しが終了した後に前記音量調節手段にフェードインを開始させるものである。
【発明の効果】
【００１３】
本発明によれば、出力される音声にフェードインがかかるようになる。
【発明を実施するための最良の形態】
【００１４】
図１は、本発明が適用される既存の再生専用のＭＤシステムの概要を示すブロック図である。ＭＤシステムに装着されたカートリッジ１内のミニディスク２がスピンドルモータ３によって回転し、光ピックアップ４によりミニディスク２から読み取られた信号がＲＦアンプ５に送られる。
【００１５】
ＲＦアンプ５は、光ピックアップ４からの信号に基づいて、波形整形したサーボエラー信号（フォーカスサーボエラー信号及びトラッキング・サーボエラー信号），アドレス信号，及びＲＦ信号を出力する。
【００１６】
このうちサーボエラー信号は、サーボ制御回路６に送られる。サーボ制御回路６は、このサーボエラー信号と、スピンドルモータ３から出力されるＦＧ信号に基づいて得た回転数情報とに基づき、光ピックアップ４の送り機構１８やスピンドルモータ３を制御する。
【００１７】
他方アドレス信号は、アドレスデコーダ７に送られる。アドレスデコーダ７は、このアドレス信号をデコードして、ミニディスク２上で光ピックアップ４により現在レーザ光スポットが照射されている記録位置の物理的な番地を示すアドレスデータを生成する。
【００１８】
他方ＲＦ信号は、ＥＦＭ及びＡＣＩＲＣデコーダ８に送られる。またアドレスデコーダ７で生成されたアドレスデータも、このＥＦＭ及びＡＣＩＲＣデコーダ８に送られる。ＥＦＭ及びＡＣＩＲＣデコーダ８は、ＲＦ信号にＥＦＭ復調処理及びＡＣＩＲＣ方式の誤り訂正処理を施す。
【００１９】
ＥＦＭ及びＡＣＩＲＣデコーダ８で処理を終えた信号のうちのオーディオデータは、音飛び防止のため、ショックレジスタントメモリコントローラ９を介してメモリ（一例として１ＭビットＤＲＡＭ）１０に一時的に記憶される。
【００２０】
メモリ１０から読み取されたオーディオデータは、ショックレジスタントメモリコントローラ９を経て音声圧縮ＡＴＲＡＣデコーダ１１に送られる。音声圧縮ＡＴＲＡＣデコーダ１１は、ＡＴＲＡＣ方式で圧縮されていたオーディオデータを復号（伸長）する。復号されたオーディオデータは、Ｄ／Ａ変換器１２でアナログ変換され、パワーアンプ１３で増幅されて、スピーカ１４から音声として出力される。
【００２１】
他方、ＥＦＭ及びＡＣＩＲＣデコーダ８で処理を終えた信号のうちのＴＯＣは、システムコントローラ１５に送られる。システムコントローラ１５は、操作キー１６の操作等に応じてサーボ制御回路６，ＥＦＭ及びＡＣＩＲＣデコーダ８，メモリコントローラ９，表示部（液晶パネル等）１７といったシステムの各部を制御するものであり、ＥＦＭ及びＡＣＩＲＣデコーダ８から送られたＴＯＣをバッファメモリ（図示せず）に記憶しておき、このＴＯＣに基づいて、楽曲の開始アドレスへのシーク動作時等にサーボ制御回路６を介してスピンドルモータ３や送り機構１８を制御する。
【００２２】
次に、図２は、図１のＭＤシステム中の一部分の例を示すブロック図である。システムコントローラ１５は、メインＣＰＵ１５１と各種のサブＣＰＵ（メカニズム制御用のＣＰＵ，表示制御用のＣＰＵ等）とから成っており、これらのサブＣＰＵのうちのメカニズム制御用ＣＰＵ１５２が、楽曲の開始アドレスへのシーク動作時等にサーボ制御回路６（図１）を介してスピンドルモータ３や送り機構１８（図１）を制御する。従って、このメカニズム制御用ＣＰＵ１５２には、図１のＥＦＭ及びＡＣＩＲＣデコーダ８からＴＯＣが送られる。
【００２３】
このＭＤシステムではボリュームコントローラが電子ボリューム化されている。即ち、操作キー１６では、音量調整用のダイヤル式の操作スイッチがロータリーエンコーダ１６１に内蔵されており、このロータリーエンコーダ１６１の回転量及び回転方向の検出出力がメインＣＰＵ１５１に送られる。また、ＥＦＭ復調処理及び誤り訂正処理を終えたオーディオデータに係数を乗算することによりそのレベル（音量）を調整するレベル調整回路２１が、例えば図１のＤ／Ａ変換器１２内にディジタル回路として、あるいは別の例として、図１のパワーアンプ１３内にアナログ回路として設けられている。メインＣＰＵ１５１は、ロータリーエンコーダ１６１の検出出力に基づいてレベル調整回路２１を制御する（レベル調整回路２１でオーディオデータに乗算される係数を変化させる）ことにより、図１のスピーカ１４から出力される音声の音量を調整する。
【００２４】
そして、メカニズム制御用ＣＰＵ１５２は、ＴＯＣが供給されている最中であるかあるいはＴＯＣが全て供給され終えたかを示す信号を生成し、この信号（図のＳ１）をメインＣＰＵ１５１に送るようになっている。
【００２５】
次に、このＭＤシステムにおける音量の調整動作を説明する。ユーザーが図１の操作キー１６中の再生用の操作スイッチを操作したことによってミニディスク２の再生が開始された後、ユーザーが音量を調整するためにロータリーエンコーダ１６１を操作すると、ロータリーエンコーダ１６１の検出出力がメインＣＰＵ１５１に送られる。
【００２６】
このとき、まだ光ピックアップ４がＴＯＣの読み取り中であれば、ＥＦＭ及びＡＣＩＲＣデコーダ８からメカニズム制御用ＣＰＵ１５２にＴＯＣが供給されている最中なので、その旨を示す信号Ｓ１がメカニズム制御用ＣＰＵ１５２からメインＣＰＵ１５１に送られる。
【００２７】
他方、このとき光ピックアップ４がＴＯＣの読み取りを全て終了してオーディオデータの読み取りを開始していれば、ＥＦＭ及びＡＣＩＲＣデコーダ８からメカニズム制御用ＣＰＵ１５２へのＴＯＣの供給が全て終了しているので、その旨を示す信号Ｓ１がメカニズム制御用ＣＰＵ１５２からメインＣＰＵ１５１に送られる。
【００２８】
メインＣＰＵ１５１はこの信号Ｓ１の内容を判断しており、この信号Ｓ１がＴＯＣが供給されている最中であることを示すものであれば、ロータリーエンコーダ１６１の検出出力の如何にかかわらず、レベル調整回路２１の係数を変化させない。従って、その後光ピックアップ４でオーディオデータが読み取られることによりスピーカ１４から出力される音声の音量が、このときの操作スイッチ１６１の操作によって増減することはない。
【００２９】
これに対し、この信号Ｓ１がＴＯＣの供給が全て終了していることを示すものであれば、メインＣＰＵ１５１は、ロータリーエンコーダ１６１の検出出力に応じてレベル調整回路２１の係数を変化させる。従って、現在光ピックアップ４で読み取られているオーディオデータに基づいてスピーカ１４から出力される音声の音量が、このときの操作スイッチ１６１の操作によって増減する。
【００３０】
このように、このＭＤシステムによれば、ユーザーがロータリーエンコーダ１６１を操作しても、ＴＯＣの読み取り中には、音量の調整が抑制される。これにより、ＴＯＣの読み取り中に誤って音量が調整される事態が防止されるので、その後スピーカ１４から音声が出力され始めたときに予期せぬ大音響が発生するようなことがなくなる。
【００３１】
次に、図３は、図１のＭＤシステム中の本発明に関連する部分の別の一例を示すブロック図であり、同図において図２と同一部分には同一符号を付して重複説明を省略する。
【００３２】
この例では、図１のＭＤシステムと図示しないラジオ受信機及びテープレコーダとが一体化されてオーディオシステムを成しているものとする。操作キー１６には、ラジオ・テープ・ミニディスク２間でのソースの切り替え時や電源のオン時にフェードインをかけるための操作スイッチ１６２が設けられており、この操作スイッチ１６２のオンオフ状態を示す信号がメインＣＰＵ１５１に送られる。メインＣＰＵ１５１は、操作スイッチ１６２がオンされていると、ソースの切り替え時や電源のオン時にレベル調整回路２１を制御する（レベル調整回路２１でオーディオデータに乗算される係数をゼロから漸増させる）ことにより、図１のスピーカ１４から出力される音声にフェードインをかける。
【００３３】
次に、このオーディオシステムにおけるフェードイン動作を説明する。ユーザーが、操作スイッチ１６２をオンにした状態で、ラジオまたはテープへのソースの切り替えを行った場合や、ソースをラジオまたはテープとした状態で電源をオンにした場合には、メインＣＰＵ１５１は、直ちにレベル調整回路２１でオーディオデータに乗算される係数をゼロから漸増させる。
【００３４】
他方ユーザーが、操作スイッチ１６２をオンにした状態で、ミニディスク２へのソースの切り替えを行った場合や、ソースをミニディスク２とした状態で電源をオンにした場合には、メインＣＰＵ１５１は、信号Ｓ１の内容を判断する。そして、この信号Ｓ１がＴＯＣが供給されている最中であることを示すものであれば、レベル調整回路２１の係数をゼロのままに維持し、その後この信号Ｓ１がＴＯＣの供給が全て終了していることを示すものになれば、この係数をゼロから漸増させる。
【００３５】
これにより、図４Ｂにも示すように、ラジオまたはテープへのソースの切り替えを行った場合や、ソースをラジオまたはテープとした状態で電源をオンにした場合には、直ちにフェードインが開始されるのに対し、ミニディスク２へのソースの切り替えを行った場合や、ソースをミニディスク２とした状態で電源をオンにした場合に、フェードインの開始タイミングがＴＯＣの読み取り終了時に変更される。従って、ミニディスク２へのソースの切り替えを行った場合や、ソースをミニディスク２とした状態で電源をオンにした場合にも、ＴＯＣの読み取りが終了してオーディオデータの読み取りが開始されたとき、出力される音声にフェードインがかかるようになる。（他方、図４Ａは常にソースの切り替え時や電源オン時に直ちにフェードインを開始するようにした従来の動作を図４Ｂと対比して示すものであり、このフェードイン動作では、ミニディスク２へのソースの切り替えを行った場合や、ソースをミニディスク２とした状態で電源をオンにした場合、ＴＯＣの読み取り中にフェードインの期間の全部（または大部分）が過ぎてしまうことにより、ＴＯＣの読み取り終了後、フェードインを全くかけていない（またはほとんどかけていない）のと同じ状態で音声の出力が開始されてしまうことがある。）
【００３６】
尚、図２の例では、ロータリーエンコーダ１６１の回転方向が音量を増大させる方向と減少させる方向とのいずれであるかを区別することなく、ＴＯＣの読み取り中の音量の調整を抑制している。しかし、ＴＯＣの読み取り中に誤って音量を調整したことによりスピーカ１４から予期せぬ大音響が発生してしまうのは、ロータリーエンコーダ１６１の回転方向が音量を増大させる方向であった場合だけなので、例えばロータリーエンコーダ１６１の回転方向が音量を増大させる方向である場合にのみＴＯＣの読み取り中の音量の調整を抑制し、この回転方向が音量を減少させる方向である場合にはＴＯＣの読み取り中の音量の調整を抑制しないようにしてもよい。
【００３７】
また、図２の例では、ＴＯＣの読み取り中の音量の調整を抑制している。しかし、バスコントロール・トレブルコントロール機能やバランスコントロール機能を有するＭＤシステムでは、一般に、レベル調整回路２１をこれらの機能のためにも用いるようにしている。そこで、そうしたＭＤシステムにおいて、ＴＯＣの読み取り中に、音量の調整だけでなくバスコントロール・トレブルコントロールやバランスコントロールをも抑制するようにしてもよい。
【００３８】
また、図３の例では、ＭＤシステムがラジオ受信機及びテープレコーダと一体化されてオーディオシステムを成しているものとして説明を行ったが、ＭＤシステムがラジオ受信機とテープレコーダとのうちのいずれか一方のみや、それ以外の適宜のソース（音源）と一体化されていてもよいことはもちろんである。あるいは、ＭＤシステム単体でのみオーディオシステムを成していてもよく、その場合には、電源のオン時にのみ、フェードインの開始タイミングをＴＯＣの読み取り終了時に変更するようにすればよい。
【００３９】
また、図２，図３の例では、それぞれＴＯＣの読み取り中の音量の調整の抑制，フェードインの開始タイミングのＴＯＣの読み取り終了時への変更の一方ずつを行っているが、同一のＭＤシステム（またはＭＤシステムと他のソースとを一体化したオーディオシステム）においてこれらの両方を行うようにしてもよいことはもちろんである。
【００４０】
また、以上の例では、メカニズム制御用ＣＰＵから、ＴＯＣが供給されている最中であるかあるいはＴＯＣの供給が全て終了したかを示す信号をメインＣＰＵに送るようにしている。しかし、これに限らず、ＥＦＭ及びＡＣＩＲＣデコーダ８からＴＯＣを送られる他の適宜のサブＣＰＵからメインＣＰＵにこうした信号を送るようにしてもよい。また、例えばメインＣＰＵ自身にもＥＦＭ及びＡＣＩＲＣデコーダ８からＴＯＣが送られる場合には、メインＣＰＵ自身にＴＯＣが供給されている最中であるかあるいはＴＯＣの供給が全て終了したかに応じて、レベル調整回路２１の係数を変化させるか否かを決定するようにしてもよい。
【００４１】
また、以上の例では再生専用のＭＤシステムに本発明を適用しているが、記録用のＭＤシステムや、ＣＤシステムや、オーディオデータ以外に付加情報を記録した記録媒体を再生する他の適宜のオーディオ装置に本発明を適用してもよい。また、本発明は、以上の例に限らず、本発明の要旨を逸脱することなく、その他様々の構成をとりうることはもちろんである。
【図面の簡単な説明】
【００４２】
【図１】本発明を適用したＭＤシステムの一例を示すブロック図である。
【図２】図１のＭＤシステムの一部分の例を詳細に示すブロック図である。
【図３】図１のＭＤシステムのうち本発明に関連する部分の一例を詳細に示すブロック図である。
【図４】フェードイン動作の一例を示す図である。
【符号の説明】
【００４３】
１  カートリッジ、  ２  ミニディスク、  ３  スピンドルモータ、  ４  光ピックアップ、  ５  ＲＦアンプ、  ６  サーボ制御回路、  ７  アドレスデコーダ、  ８  ＥＦＭ及びＡＣＩＲＣデコーダ、  ９  ショックレジスタントメモリコントローラ、  １０  メモリ、  １１  音声圧縮ＡＴＲＡＣデコーダ、  １２  Ｄ／Ａ変換器、  １３  パワーアンプ、  １４  スピーカ、  １５  システムコントローラ、  １６  操作キー、  １７  表示部、  １８  送り機構、  ２１  レベル調整回路、  １５１  メインＣＰＵ、  １５２  メカニズム制御用ＣＰＵ、  １６１  ロータリーエンコーダ、  １６２  フェーダイン指示用の操作スイッチ
【図１】
2008171553.tif 000003
【図２】
2008171553.tif 000004
【図３】
2008171553.tif 000005
【図４】
2008171553.tif 000006